(57)【要約】【課題】オープンチャンネル技術の有利な効果を提供し、また、同時に、従来のスパイラル型モジュールにより実現されるものと同様の高い充填密度を可能にするフィルタモジュール用のスペーサを提供する。【解決手段】スペーサは、２つのフィルタ材料の層の間に配設され、また、格子状構造を有するシート材料を備え、該格子状構造の上面及び下面は、フィルタ材層に対する上側当接面及び下側当接面を画成する。シート材料は、接合点にて相互に接続された多数のウェブから成っており、そのウェブの第一の部分は、第一の好ましい方向に対し平行に配設され、第二の部分は、上記第一の好ましい方向と交差する第二の好ましい方向に対し平行に配設され、上記ウェブの少なくとも幾つかは、上側当接面及び／又は下側当接面まで延びる第一のウェブ領域を有し、また、少なくとも更なる部分は上記第二のウェブ領域を有し、この第二のウェブ領域は上側当接面と下側当接面から隔てられており、これらのウェブの実質的に全長に亙って延びている。【選択図】図１０
2007531616.tif 000002
【特許請求の範囲】
【請求項１】
２つのフィルタ材料の層の間に配設されたフィルタモジュール用のスペーサであって、格子状構造を有するシート材料を備え、該構造の上面及び下面がフィルタ材料の層に対する上側当接面及び下側当接面を画成し、前記シート材料は、接合点にて相互に接続された多数のウェブにより形成され、該ウェブの第一の部分は第一の好ましい方向に対し平行に配設され、第二の部分は前記第一の好ましい方向と交差する第二の好ましい方向に対し平行に配設された、前記フィルタモジュール用のスペーサにおいて、
前記ウェブの少なくとも幾つかは、前記上側当接面及び／又は下側当接面まで延びる前記第一のウェブ領域を有し、また、前記ウェブの少なくとも更なる部分は、前記上側当接面及び下側当接面から隔てられた第二のウェブ領域を有し、前記第二のウェブ領域は、これらのウェブの実質的に全長を亙って延びることを特徴とする、フィルタモジュール用のスペーサ。
【請求項２】
請求項１に記載のスペーサにおいて、前記上側当接面及び／又は下側当接面まで延びる前記第一のウェブ領域は、細長いフィンの形態をしている、スペーサ。
【請求項３】
請求項１に記載のスペーサにおいて、前記上側当接面及び／又は下側当接面まで延びる前記第一のウェブ領域は、実質的に点状領域の形態にある、スペーサ。
【請求項４】
請求項３に記載のスペーサにおいて、前記点状の第一のウェブ領域は、ウェブの接合点に配設されることを特徴とする、スペーサ。
【請求項５】
請求項１ないし４の何れか１つの項に記載のスペーサにおいて、全てのウェブは、前記好ましい方向に対し実質的に平行に配設されることを特徴とする、スペーサ。
【請求項６】
請求項１ないし５の何れか１つの項に記載のスペーサにおいて、前記第一及び第二の好ましい方向は約９０°の角度にて交差することを特徴とする、スペーサ。
【請求項７】
請求項１ないし６の何れか１つの項に記載のスペーサにおいて、前記ウェブが前記上側当接面又は下側当接面からある距離に維持される前記第二のウェブ領域上の前記ウェブは、非円形の断面であるが、より具体的には、偏円形であり、且つ、流入する流れに臨む領域が最小となるような向きとされることを特徴とする、スペーサ。
【請求項８】
請求項１ないし７の何れか１つの項に記載のスペーサにおいて、前記第二のウェブ領域は、フィルタを通って流れる流体中に乱流領域が発生されるような配置及び／又は形状とされることを特徴とする、スペーサ。
【請求項９】
請求項１ないし８の何れか１つの項に記載のスペーサにおいて、前記ウェブは、前記フィルタ材料に当接するその第一のウェブ領域により、その断面が矩形の形状に近似する流路を画成することを特徴とする、スペーサ。
【請求項１０】
請求項１ないし９の何れか１つの項に記載のスペーサにおいて、第二のウェブ領域を有するウェブは、前記当接面に対して鋭角な角度にて配設されることを特徴とする、スペーサ。
【請求項１１】
請求項１０に記載のスペーサにおいて、前記当接面に対し鋭角な角度にて配設された前記ウェブは、該ウェブの接合点にて他のウェブと接続されるその端部にて、前記当接面から所定の距離を示すことを特徴とする、スペーサ。
【請求項１２】
請求項１ないし１１の何れか１つの項に記載のスペーサにおいて、各場合にて前記当接面に対し直角に測定したときの、前記第二及び第一のウェブ領域の高さの比が１：２ないし１：２０の範囲にあることを特徴とする、スペーサ。
【請求項１３】
請求項１２に記載のスペーサにおいて、第一のウェブ領域を有するウェブは、１０ｍｍ以内の厚さを有することを特徴とする、スペーサ。
【請求項１４】
２つのろ過層と、該ろ過層の間に配設された請求項１ないし１３の何れか１項記載のスペーサとを備える、フィルタモジュール。
【請求項１５】
請求項１４に記載のフィルタモジュールにおいて、前記好ましい方向の一方が前記フィルタモジュールによりろ過される流体の流れの方向に対し平行であるように、前記スペーサがフィルタモジュール内にて配設されることを特徴とする、フィルタモジュール。
【請求項１６】
請求項１５に記載のフィルタモジュールにおいて、前記好ましい方向の他方が前記ろ過される流体の流れの方向に対し直角であることを特徴とする、フィルタモジュール。
【請求項１７】
請求項１５又は１６に記載のフィルタモジュールにおいて、第一のウェブ領域を有する前記ウェブは、第二のウェブ領域を有する前記ウェブよりも、流れの方向に対しより小さい角度を形成することを特徴とする、フィルタモジュール。
【請求項１８】
請求項１４ないし１７の何れか１項記載のフィルタモジュールを保持する、スパイルラル型モジュール。
【請求項１９】
請求項１４ないし１７の何れか１項記載のフィルタモジュールから製造された、積層モジュール。
【請求項２０】
請求項１４ないし１７の何れか１項記載のフィルタモジュールを使用して工業廃水を処理する方法。
【請求項２１】
請求項１４ないし１７の何れか１項記載のフィルタモジュールを使用して工業用プロセス水を処理する方法。
【請求項２２】
請求項１４ないし１７の何れか１項記載のフィルタモジュールを使用して埋め立てごみからの浸出液を処理する方法。
【請求項２３】
請求項１４ないし１７の何れか１項記載のフィルタモジュールを使用して海水を淡水化する方法。
【請求項２４】
請求項１４ないし１７の何れか１項記載のフィルタモジュールを使用して表面水を処理する方法。
【請求項２５】
請求項１４ないし１７の何れか１項記載のフィルタモジュールを使用して汽水を処理する方法。
【請求項２６】
請求項２０ないし２５の何れか１項記載の使用方法において、使用されるフィルタモジュールは、スパイラル型モジュールの形態であることを特徴とする、使用方法。
【請求項２７】
請求項２０ないし２５の何れか１項記載の使用方法において、使用されるフィルタモジュールは、積層モジュールの形態であることを特徴とする、使用方法。
【発明の詳細な説明】
【技術分野】
【０００１】
本発明は、２つ以上のフィルタ材料の層を備えるフィルタモジュールにて使用されるスペーサであって、スペーサ層が２つの連続的なフィルタ材料の層の間に配設されたスペーサに関する。
【背景技術】
【０００２】
この型式のフィルタモジュールは、例えば、工業廃水の処理、工業用プロセス水の処理、埋め立てごみからの浸出液の処理、又は海水の淡水化を含む、広範囲のろ過目的のため、スパイラル型モジュール又は積層モジュールの形態にて使用される。
【０００３】
従来、多数の点状の隆起部又はウェブを有する、寸法的に安定的なプラスチックディスクであって、その表面にフィルタ緩衝材が当接するようになっているディスクが、積層モジュール内のスペーサとして使用されてきた。この場合、ディスクの表面とフィルタ緩衝材との間には、フィルタ材料上の流れのために利用可能な容積が存在する。ディスクは、開口を有しており、このため、これらの開口上を流れる媒体は、複数のフィルタ緩衝材上を連続的に流れることができる。これらの積層モジュールは、オープンパッセージ技術（ｏｐｅｎ−ｐａｓｓａｇｅ  ｔｅｃｈｎｏｌｏｇｙ）の原理に基づいて作動する、すなわち、供給された媒体は、フィルタ材料の実質的に全表面積上へ流れることができ、また、流動方向に向けた流れの障害物は存在しないか又は極く僅かである。オープンパッセージ技術は、積層モジュールは目詰まりし易くはないものの、充填密度が比較的低く、その結果、利用可能なろ過面積に基づくモジュールのコストは例えば、スパイラル型モジュールの場合よりも高いことを意味する。
【発明の開示】
【発明が解決しようとする課題】
【０００４】
積層モジュールと異なり、スパイラル型モジュールは、従来、スペーサが可撓性の格子又はメッシュ構造体として製造されるような要領にて製造されていた。スペーサは、フィルタ材料と接触しているウェブが流れ方向への障害物を形成するような要領にて形成され、その障害物のスペースにて、貫流が減少し且つ沈着蓄積物が形成される。形成される媒体成分の堆積物は、閉塞物と称される。更に、従来のモジュールにおいては、洗浄中に除去された堆積物は、障害物のためモジュールから排出することができないから、ウェブはモジュールの洗浄できる程度を制限してしまうバリアを形成することになる。更に、当接位置にてろ過は全く行われないから、フィルタ材料の表面積は完全には利用されない。他方、スパイラル型モジュールは、充填密度が比較的高く、利用可能なフィルタ面積に基づいた場合、積層モジュールよりも安価である。
【０００５】
スパイラル型モジュール用のスペーサは、例えば、ドイツ国特許第１００  ５１  １６８  Ａ１号明細書に記載されている。
【課題を解決するための手段】
【０００６】
本発明の１つの目的は、オープンパッセージ技術の有利な効果を有し、これと同時に、従来のスパイラル型モジュールにて実現されていたものと同様の高い充填密度を許容する、フィルタモジュール用のスペーサを提案することである。本発明に従い、この目的は、請求項１に記載したスペーサにより実現される。
【０００７】
スペーサにおける目詰まりを回避するためには、流れが減少し且つ堆積物が蓄積する可能性のあるスペースを、可能な限り回避することが極めて重要である。ろ過される媒体の流れ方向に見たとき、スペーサ層は、目詰まりの傾向が最小となるように、フィルタ材料の表面との実質的に何らの接触点を有してはならない。このことは、本発明に従ったスペーサの構造により可能とされる。本発明に従ったスペーサは、積層型及びスパイラル型モジュールの双方を製造するために使用することができる。
【０００８】
本発明に従って実現される有利な効果の詳細は次の通りである。
−  不稼働領域が実質的にないし完全に存在しないため、目詰まり易さが最小となる；
−  供給通路を通って妨害されずに流れることは、堆積物を排出することを可能にする
ため、フィルタモジュールの洗浄性を向上させる；
−  従来、スパイラル型モジュールを使用して処理することができなかった、相対的に
高レベルの固体を含む水を処理することが可能である；
−  最適化した流入流れ状態を使用することにより、圧力損失を減少させることが可能
である；
−  乱流を促進させることは、濃度分極を減少させることを可能にする；
−  標準型の積層板モジュールと比較して大きな充填密度を有するフィルタモジュール
の形態とすることができる。
【０００９】
フィルタ材料をスペーサの上にて支持する機能を果たすウェブ領域は、真っ直ぐなフィンの形態にて形成されることが好ましい。この場合、特に、ウェブがろ過される流体の流れ方向に対し実質的に平行に配設されるならば、フィンをフィルタ材料、特に、膜の全長又は全幅に亙って延びるようにすることが全体として可能である。
【００１０】
フィンは、多数の平行な流路を形成し得るように、スペーサ層の上側部及び下側部にて同一のウェブ領域にて設けることができる。
１つの代替例は、点状の又は実質的に点状の領域の形態にてすなわち格子又はメッシュ構造体の幅と比較して小さい面積を有して、フィルタ材料の表面に対して当接するウェブ領域を形成することから成る。
【００１１】
単に一例として、ウェブの点状の支持領域がウェブの接合点にて形成されるようにすることが可能である。
この場合、格子構造の他の全ての領域は、フィルタ材料の表面領域と接触するに至らず、且つ、流体が実質的に妨害されずに流れるのを許容する。このことは、貫通する流れが減少する容積をできるかぎり最小にすることとなる。
【００１２】
更なる代替例において、フィルタ材料の層は、１つのウェブ領域にてスペーサ層の上側部に支持され、また、別のウェブ領域にてスペーサ層の下側部に支持される。このことは、連続的な形態をしたウェブ領域を有する場合でさえ、スペーサ層まで流れるのを許容し、流れ方向が好ましい方向に対して鋭角な角度を形成するようになる。
【００１３】
更なる好ましい実施の形態において、ウェブがフィルタ材料の表面に当接する作用を果たすウェブ領域を備えるならば、実質的に全てのウェブは好ましい方向に対して平行に形成される。
【００１４】
好ましい方向の１つは、ろ過される流体の流れの方向に対して実質的に平行な向きとされることが好ましい。
特定の用途に依存して、フィルタモジュール内の乱流がより多く又はより少ないことが望まれることがある。単に一例として、濃縮物が製品である食品業界にて製品の品質を維持するため、乱流は、場合によっては、望ましくないことがある。
【００１５】
他方、廃水の用途においては、目詰まり及びスケール形成の虞れを更に減少させるため、膜上の流れが可能な限り乱流であることが、しばしば望まれる。
フィルタ材料の表面に対して当接せず、且つ、フィルタ材料からある距離に保たれるウェブ又はウェブ領域は、特定の用途において、断面が非円形、すなわち、特に偏円形であり、ウェブが流入する流体の流れに対する抵抗を最小であるようにすることが好ましい。
【００１６】
その他の用途の場合、これらの又はその他のウェブ領域は、乱流領域を形成することで膜表面における層流を壊すような要領にて配設及び／又は形成され、その結果、フィルタ表面の目詰まりを回避し、且つ、フィルタ材料の表面における濃度分極も解消し又は回避することができるようにすることが好ましい。
【００１７】
濃度分極は、膜を通して輸送される溶媒に起因する、膜の表面領域内での物質の濃度の局所的な増大である。
全体として、ウェブは、その断面が矩形体の形状に実質的に近似する流路を形成するような要領にて、互いに接続され且つ形成されることが好ましい。フィルタ材料の表面に当接するウェブ領域の当接面は、可能な限り小さくなり、利用可能なフィルタ材料の表面積を可能な限り最小程度でカバーするようにすることができよう。
【００１８】
しかし、当接面は、全体として、ろ過工程中の圧力変動に起因する荷重によって生ずる可能性のあるフィルタ材料の表面の損傷を回避し得るよう、過少であってはならない。可能な限り矩形である流路の断面は、通路の断面にて見たとき実質的に均一な流速を保証し、これによって利用可能なフィルタ材料の表面積のできるだけ多くを均一に利用することができ、また、流れが減少した容積が回避されるようにする。
【００１９】
本発明の上記及びその他の有利な効果は、添付図面に関して以下に詳細に説明する。
【発明を実施するための最良の形態】
【００２０】
図１には、全体として、参照番号１０でフィルタモジュールが示されている。該フィルタモジュール１０は、第一のフィルタ材料層１２と、第二のフィルタ材料層１４とを備えており、これらの材料層は、その間に配設されたスペーサ１６により互いに隔てられた状態に保持されている。フィルタ材料層１２、１４は、異なるフィルタ材料から成るものとすることができ、特に、膜の形態とすることができる。
【００２１】
フィルタ緩衝材は、２つのフィルタ材料層から出来ており、浸透液を排出するためその間にスペーサがある。３つの層は、外端縁にて互いに溶着され又は接着剤にて接着されている。緩衝材の形状及び接合側部の数は、所望のフィルタモジュールの形状に依存する。
【００２２】
スペーサ１６（以下に、スペーサ層とも称する）は、実質的にウェブから組み立てられ、格子状構造を形成し、ウェブが２方向に配設され且つ接合点を介して互いに接続される。特に、この場合、処理される流体の流れ方向に対し平行に配設されたウェブ１８がある。該ウェブ１８は、互いに隔てて保持され且つ横方向ウェブ２０により互いに接続されている。ウェブ１８は、その上方及び下方を向いた面にフィン２２、２４を有している。これらのフィンは、一方にて、フィルタ材料層１２を支持し、また、他方にて、フィルタ材料層１４を支持する機能を果たす。このため、ウェブは、フィルタ材料に対する当接面を画成する第一のウェブ領域を有している。
【００２３】
これに反して、横方向ウェブ２０は、フィルタ材料層１２の表面及びフィルタ材料層１４の表面の双方から隔てられた状態を保ち、これにより流れが減少する領域を回避し、ろ過される流体が実質的に妨害されずに流れるのを許容する。これらは、第二のウェブ領域を表わす。
【００２４】
図２は、スペーサ層１６の矩形の格子構造の明確で且つ詳細な図を提供する、スペーサ層１６のメッシュ構造の更なるより詳細図である。無限に続くウェブ１８は、その上側部に上述したフィン２２を支承する。該フィンは、フィルタ材料層１２に対する狭小な当接面を形成する。横方向ウェブ２０は、ウェブ１８を互いに隔てた状態に保持し且つ各場合にてフィン２２の当接面により形成された面から引込んでいる。
【００２５】
下方から見た図は、図示した頂面図と実質的に同一であるから、図示してない。
最後に、図３には、ウェブ２０を通じて可能な断面図の多数の変更例ａ、ｂ、ｃ、ｄが詳細図の形態にて示されている。非円形のウェブ２０が使用されるならば、特定の用途に依存して、ろ過される流体の流れの方向と反対方向へのウェブの配設は、流入流れに臨む領域が可能な限り小さくなるような要領にて選ばれ、又は、流体の流れ中に乱流領域が生じるような要領にて選ばれる。前者の場合、流入流れに対する抵抗は、最小となる一方、後者の場合、起こり得る濃度分極は阻止される。
【００２６】
後者の場合、非円形のウェブ２０は、液体がウェブ２０により一方向に又は反対方向に方向が変えられ、フィルタ材料表面の層流が壊されるような要領にて配設されよう（特に、変更例ａ参照）。このことは、フィルタ材料の表面における堆積物を減少させ又は完全に回避することさえも可能にし、また、フィルタ材料の表面における濃度分極を阻止又は回避することも可能にする。
【００２７】
本発明に従ったフィルタモジュールの更なる変更例が図４に示されている。図４に示したフィルタモジュール３０は、図１に示したフィルタモジュール１０と同様の構造である。このモジュールにおいて、第一のフィルタ材料層３２及び第二のフィルタ材料層３４は、スペーサ層３６により互いに隔てた状態に且つ互いに実質的に平行に保持される。スペーサ層３６の格子又はメッシュ構造は、この場合にも、長手方向ウェブ及び横方向ウェブ３８、４０により、それぞれ形成されており、その結果、矩形の構造となる。
【００２８】
ウェブ３８、４０により形成された平面の上方及び下方の第一のウェブ領域４２は、スタッド４４、４６を支承している。１つ又はその他のフィルタ材料層３２又は３４がこれらスタッドに当接する。第１のウェブ領域は、長手方向ウェブ及び横方向ウェブ３８、４０の接合点に設けられる。
【００２９】
図５に示したスペーサ層３６の平面図から、スタッド４４の当接点（このことはまた下向きのスタッド４６にも当てはまる）は相対的に小型であり、このためフィルタ材料層３２、３４がそれぞれ障害物無しの最大の表面積となることが理解できる。このため、実質的にほぼ全てのウェブ領域は第二のウェブ領域となり、このことは、フィルタ材料層３２、３４からの隔たり状態を維持することになる。
【００３０】
同様に、横方向ウェブ４０の形態に対する色々な可能性が利用可能であり、これらの可能性は、図６に変更例ａ、ｂ、ｃ、ｄとして示されている。フィルタモジュール１０に関して記述した説明は、横方向ウェブ４０の断面の幾何学的形態及びその向きの選択にも同様に当てはまる。
【００３１】
長手方向ウェブ３８のその他の形態は、特に断面を含んで、横方向ウェブ４０の形状と実質的に無関係である。この場合にもまた、例えば、図４から理解し得るように、楕円形の断面を提供し、一方にて格子構造の安定性が維持されるが、他方にてフィルタ材料層３２、３４の表面からのこれらウェブの可能な最大の隔たり状態が維持される。このことは、その間に長手方向ウェブ３８が配設されるフィルタ材料層３２、３４の表面領域においてさえ、その後の目詰まりと関連して堆積物が生じる可能性のある僅かな空隙も全く存在しないことを保証することになる。
【００３２】
図７ないし図９には、その基本構造が図１ないし図３に示した実施の形態と同様である、本発明の更なる変形例が示されている。
本明細書に示したこの実施の形態は、第一のフィルタ材料層５２及び第二のフィルタ材料層５４が互いに平行であり且つその間に配設されたスペーサ層５６により互いに隔てた状態に保持されるフィルタモジュール５０に関する。スペーサ層５６は、この場合にも同様に長手方向ウェブ５８及び横方向ウェブ６０により形成される。
【００３３】
図１ないし図３に示した実施の形態におけるように、図示したフィルタモジュールの実施の形態において、スペーサ５６は、連続的な長手方向ウェブ５８にて構成されている。該連続的な長手方向ウェブ５８は、図８から最も明確に理解し得るように、互いに隣接して直線状に配置され且つフィン６２、６４をそれらの上側部及び下側部にて支持する。これらのウェブは、フィルタ材料の当接面を画成する第一のウェブ領域を表わす。図７ないし図９に示したフィルタモジュールにおいて、スペーサの横方向ウェブ６０は、図１ないし図３に示したフィルタモジュールの実施の形態と比較して相違する状態に配設されている。これらの横方向ウェブ６０は、フィルタ材料層５２、５４の表面に対して実質的に平行に延びず、これらの表面に対してある角度にて延びるよう配置され且つ互いに平行に配設された２つの長手方向ウェブ５８を接続して、底部に配置されたフィン６４に連結し、且つ隣接する長手方向ウェブ５８の頂部に配置されたフィン６２にて終わり、又はその反対方向に延びる。流れ方向に見たとき、下流に配置された横方向ウェブ６０は、隣接して延びる２つの長手方向ウェブ５８の間を連結する完全に逆の形態を有することが好ましく、このため、図７に示した図において、横方向ウェブは互いにクロスしている。その結果、特に効果的な乱れとなり、このため、フィルタ材料層の表面における堆積物又は濃度分極を回避することができる。この一例としての実施の形態において、横方向ウェブは、第二のウェブ領域を形成する。
【００３４】
図９には、同様に、横方向ウェブ６０の断面の可能な改変例ａ、ｂ、ｃ、ｄが示されており、これらの異なる断面に関して記述した説明は、既に、図３に関して説明したものに相応する。
【００３５】
最後に、図１０ないし図１２には、図４ないし図６に示したものと同様の構造を有する、本発明の更なる実施の形態が示されている。
図示したフィルタモジュール７０は、同様に、互いに平行に保持され且つスペーサ層７６により互いに隔てられた２つのフィルタ材料層７２、７４を備えている。図４ないし図６に示した実施の形態と同様に、長手方向ウェブ及び横方向ウェブの双方は、フィルタ材料層７２、７４の表面からのある隔たりを維持している。長手方向ウェブ７８及び横方向ウェブ８０（第二のウェブ領域）は、接合点８２を介して互いに接続されている。この接合点にて、フィルタ材料層７２、７４の点状支持体のスタッド８４、８６（第一のウェブ領域）がスペーサ層の上側部及び下側部に形成される。図６ないし図９に示した実施の形態におけるように、横方向ウェブ８０は、底部から斜め上方に延びている、すなわち、これらのウェブは、長手方向ウェブ７８の接合点にてスタッド８６を隣接する長手方向ウェブ７８の上方に位置するスタッド８４に接続し、又はその逆とし、このため、図１０に示した平面図において、一方が他方の後方になるように配置された横方向ウェブ８０は互いに交差する。
【００３６】
図１２には、同様に、既に、図３に関して詳細に説明した、変更例のａ、ｂ、ｃ、ｄを備える横方向ウェブ８０の断面の可能な変更例が示されている。
一例としての実施の形態
本発明に従ったスペーサが工業用プロセス水を処理すべく膜技術にて使用されるとき、主たる問題点は、水の有機質成分及び無機質成分の結果として、膜における目詰まり及びスケール形成の危険性がしばしば高いことである。この点に関して、膜フィルタの使用において、モジュールを洗浄できることが必須の条件である。その結果、相対的に汚れていない水に対して先行技術に従ったスパイラル型モジュールを使用することが特に考えられる。例えば、図１に示したような、本発明に従ったスペーサを使用すれば、膜の洗浄性は向上する。更に、図３ａに示した横方向ウェブの形態は、濃度分極、従って、閉塞の危険性を減少させる流れ案内部を実現する。未処理水の汚染程度に依存して、スペーサの厚さ又はスペーサにより画成された当接面の間隔を１ないし２ｍｍとすると共に、隔たり方向に測定したときの、第二及び第一のウェブ領域の高さの比を１：２ないし１：４とすることが考えられる。
【図面の簡単な説明】
【００３７】
【図１】本発明によるフィルタモジュールの第一の実施の形態を示す断面図である。
【図２】図１に示したフィルタモジュールの本発明に従ったスペーサを示す平面図である。
【図３】図２の細部の拡大断面図である。
【図４】本発明に従ったフィルタモジュールの更なる実施の形態を示す断面図である。
【図５】図３に示したフィルタモジュールの本発明に従ったスペーサの平面図である。
【図６】図５の細部の拡大断面図である。
【図７】本発明によるフィルタモジュールの更なる実施の形態を示す断面図である。
【図８】図７に示したフィルタモジュールの本発明に従ったスペーサを示す平面図である。
【図９】図８の細部の拡大断面図である。
【図１０】本発明に従ったフィルタモジュールの更なる実施の形態を示す断面図である。
【図１１】図１０の本発明に従ったスペーサの平面図である。
【図１２】図１１の細部の拡大断面図である。
【図１】
2007531616.tif 000003
【図２】
2007531616.tif 000004
【図３】
2007531616.tif 000005
【図４】
2007531616.tif 000006
【図５】
2007531616.tif 000007
【図６】
2007531616.tif 000008
【図７】
2007531616.tif 000009
【図８】
2007531616.tif 000010
【図９】
2007531616.tif 000011
【図１０】
2007531616.tif 000012
【図１１】
2007531616.tif 000013
【図１２】
2007531616.tif 000014
【国際調査報告】
2007531616.tif 000015
2007531616.tif 000016
2007531616.tif 000017